(57)【要約】      （修正有）【課題】  外部からの力に強い有機ＥＬディスプレイを有する電子撮像装置を提供する。【解決手段】  有機ＥＬディスプレイは液晶ディスプレイと比べてバックライトが不要であることから電子撮像装置において表示部の薄型化画可能である。薄い分表示部は外部の力に弱いと考えられる。有機ＥＬディスプレイを有するフレームを本体に対してスライド可能とし、本体に離れる方向に厚みが厚いフレームを有する電子撮像装置を提供する。【選択図】  図１
2006135636.tif 000002
【特許請求の範囲】
【請求項１】
有機ＥＬディスプレイを画像表示部としてフレームに保持しており、前記フレームが本体に対して可動である電子撮像装置において、
前記可動とは前記フレームが前記本体に対してスライドする動作であり、
前記フレームの厚みはスライド時に前記本体から離れる方向において厚く変化していることを特徴とする電子撮像装置。
【請求項２】
前記フレームの厚みのうち、最大値Ａと最小値Ｂとの関係は、
Ａ／２≧Ｂ
であることを特徴とする請求項１に記載の電子撮像装置。
【請求項３】
前記本体の厚みはスライド時に前記フレームから離れる方向において厚く変化していることを特徴とする請求項１に記載の電子撮像装置。
【請求項４】
前記電子撮像装置はデジタルスチルカメラあるいはデジタルビデオカメラの少なくとも何れか一方であることを特徴とする請求項１に記載の電子撮像装置。
【発明の詳細な説明】
【技術分野】
【０００１】
本発明は有機ＥＬディスプレイを表示部に有する電子撮像装置にかかわる。
【背景技術】
【０００２】
有機ＥＬディスプレイを電子撮像装置に設けることが知られている。特許文献１は表示部に有機ＥＬ素子を用いることが記載されている。
【０００３】
【特許文献１】特開２００３−３０９７４４号公報
【発明の開示】
【発明が解決しようとする課題】
【０００４】
有機ＥＬディスプレイは液晶ディスプレイと比べてバックライトが不要であることから電子撮像装置において表示部の薄型が可能である。表示部を本体（撮像光学系等を有するボディー）に対して可動にする場合、薄い分表示部は外部からの力にもろいことが考えられる。
【０００５】
本発明はこのような外部からの力に対して強い有機ＥＬディスプレイを表示部に有する電子撮像装置を提供することを目的とする。
【課題を解決するための手段】
【０００６】
よって本発明は、
有機ＥＬディスプレイを画像表示部としてフレームに保持しており、前記フレームが本体に対して可動である電子撮像装置において、
前記可動とは前記フレームが前記本体に対してスライドする動作であり、
前記フレームの厚みはスライド時に前記本体から離れる方向において厚く変化していることを特徴とする電子撮像装置を提供する。
【発明の効果】
【０００７】
本発明により、フレームが本体から離れる側において厚いため、外部からの力に対して強いフレームを有する電子撮像装置を提供することが出来る。
【発明を実施するための最良の形態】
【０００８】
本実施の形態に係る電子撮像装置を図１に示す。
【０００９】
符号１はフレーム、２は画像表示部、３は本体、４はシャッターボタン、５および６はスチルカメラモード、ビデオカメラモードを表示する領域、７は制御ボタンである。
【００１０】
図１は本実施の形態に係る電子撮像装置を示す模式的斜視図である。
【００１１】
図１は画像表示部として用いられている有機ＥＬディスプレイが図示されている側面から電子撮像装置を示している。
【００１２】
不図示ではあるが撮像レンズは反対側に設けられている。
【００１３】
電子撮像装置は、本体３とフレーム２とから構成されている。両者はスライドできる。スライド方向を図１に矢印で記した。本図はスライドした状態を示す。スライドしない状態の場合、スチルカメラモード、ビデオカメラモードを表示する領域５、６、や制御ボタン７はフレーム２に隠され保護される。
【００１４】
本実施形態ではスライドした状態が撮像可能な状態である。
【００１５】
フレーム２は上面から見た場合（図中目が見ている方向）において、厚みが異なる。より具体的には、本体に近い側と遠い側とにおいてその厚みが異なる。本実施形態において、厚みＡと厚みＢとは異なる厚みである。厚みＢが厚みＡより薄い。
【００１６】
厚みＢは有機ＥＬディスプレイがフレーム２に収容できる厚みである。
【００１７】
この厚みＢは、液晶ディスプレイのようなバックライトを有するディスプレイと比べてバックライトの厚み以上薄い厚みである。
【００１８】
厚みＢはフレーム２がスライド時に本体１と重なっている領域の厚みである。より具体的にはフレーム２の最薄部である。
【００１９】
一方で厚みＡはスライド時に本体１と重ならない領域の厚みである。より具体的にはフレーム２の最厚部である。そのためスライド時に重ならない領域（本体からはみ出た領域）の強度が保証された状態で有機ＥＬディスプレイをスライド可能なフレームに適用できその結果薄型の電子撮像装置を提供することが出来る。
【００２０】
本実施の形態に係る電子撮像装置は、厚みＡと厚みＢの関係が、Ａ／２≧Ｂの関係であることが好ましく、その結果スライド時に中心部（フレーム２と本体１の重なり部の厚みを必要以上に厚くしなくてすむ。
【００２１】
本実施の形態に係る電子撮像装置は図中目から見た場合フレーム２の厚みが略三角形形状（本体１に対向するフレームの辺が斜辺である三角形形状）であるが、本発明はそれ以外に本体１に対向するフレームの辺が湾曲形状、階段状形状等でもよい。
【００２２】
本実施の形態に係る電子撮像装置は図中Ｅ即ちフレーム２の不図示の背面部（フレーム２が本体３からスライド時にはみ出た面）に撮像レンズを配置していても良い。撮像レンズはフレーム２がスライドしている状態で背面から突出した状態となってもよい。そしてフレーム２と本体３とがスライドしないでずれていない状態（例えば不使用時）には、撮像レンズは突出状態からフレーム２内に移動して収容される構成でも良いし、あるいは突出したまま本体に設けられた不図示の溝内に収容される構成でもよい。有機ＥＬディスプレイはバックライトが不要なのでフレームの厚い部分（厚みＡを含むスライド時に本体３からはみ出る部分）に撮像レンズを配置することができるので好ましい。
【００２３】
本実施の形態に係る電子撮像装置の本体３の厚みは、図示するようにスライド時にフレーム２とは重ならない部分の厚みＤ（最厚部）が、スライド時にフレーム２と重なる部分の厚みＣ（最薄部）より厚くてもよい。このような構成にすることでスライド時にフレーム２と本体３との重なり部分の装置としての厚み（Ｂ＋Ｃ）を薄くすることが出来る。更に具体的には図中目から見た場合、フレーム２の略三角形状の輪郭に対して本体３の輪郭が逆の略三角形形状であることが好ましい。
【００２４】
本実施形態に係る電子撮像装置はフレーム２が本体３とずれた状態の場合、一方の手でずれ部を握るグリップとして使用しても良い。その場合撮像レンズが上記Ｅ即ちフレーム２の不図示の背面部（フレーム２が本体３からスライド時にはみ出た面）に配置されていてもよい。
【００２５】
本実施形態に係る電子撮像装置は撮像レンズが本体側に配置されていてもよい。
【００２６】
本実施の形態に係る電子撮像装置はデジタルスチルカメラあるいはデジタルビデオカメラの少なくとも何れか一方に用いることが好ましい。
【００２７】
本実施の形態に係る電子撮像装置は、有機ＥＬディスプレイがフルカラーの画像を表示するディスプレイを有していることが好ましい。
【図面の簡単な説明】
【００２８】
【図１】本実施の形態に係る電子撮像装置の模式的斜視図である。
【符号の説明】
【００２９】
１  フレーム
２  画像表示部
３  本体
４  シャッターボタン
５、６  スチルカメラモード、ビデオカメラモードを表示する領域
７  制御ボタン
【図１】
2006135636.tif 000003